(57)【特許請求の範囲】
【請求項１】
仕切板で区画された冷蔵室等を有する冷蔵庫本体と、
前記冷蔵室内の奥壁を構成し、冷気を吹き出す冷気吹き出し口を有するパネル部品と、
このパネル部品に設けられた電気部品のリード線を前記本体の電気回路に接続するためのリード線結線部と、
前記パネル部品に一体に設けられ、上辺に薄肉ヒンジ部、左右辺に開放部分、下辺に該パネル部品端部による開放部分を有する前面部と、この前面部の背面に設けられ、下方が開放された箱形状部とで構成され、前記リード線結線部を前記箱形状部に収納するリード線結線部収納部と、
を備え、前記薄肉ヒンジ部を介して前記リード線結線部収納部を回転させることにより、前記リード線結線部を前記リード線結線部収納部に収納する構成としたことを特徴とする冷蔵庫。
【請求項２】
前記リード線結線部収納部の前面部の下辺に下辺フランジ部を設け、この下辺フランジ部に前記リード線結線部収納部を前記仕切板に固定する為の切り欠き部を設けたことを特徴とする請求項１記載の冷蔵庫。
【請求項３】
前記薄肉ヒンジ部の厚さを、０．５ｍｍ程度としたことを特徴とする請求項１記載の冷蔵庫。
【請求項４】
前記リード線結線部を前記リード線結線部収納部に収納した後に、前記箱形状部の開放された下面をインスレーションにて蓋をする構成としたことを特徴とする請求項１記載の冷蔵庫。
【請求項５】
請求項１記載の冷蔵庫の製造方法であって、
パネル部品の一部にリード線結線部収納部を射出成形により一体成形し、
前記パネル部品に電気部品と、冷蔵室内の断熱及び風路形成を目的とする発泡スチロールとをそれぞれ組み付けてパネル組立を構成し、
前記パネル組立を前記冷蔵室に組み込み、
前記パネル部品のリード線結線部収納部分を薄肉ヒンジ部を介して手前に回転させ、その状態で前記電気部品のリード線を結線し、リード線結線部を前記パネル部品の前記リード線結線部収納部に収納し、結線部への水滴の浸入を防ぐためのインスレーションにて蓋をし、
前記リード線結線部収納部の前面部が前記パネル部品の前面部と同一面に成るように回転させて戻し、前記パネル部品のリード線結線部収納部の回転を抑制するために、前記パネル部品と前記パネル組立の下側に接する仕切板とを締結部材にて固定することを特徴とする冷蔵庫の製造方法。
【請求項６】
仕切板で区画された食品等を貯蔵する室を有する冷蔵庫本体と、
前記食品等を貯蔵する室内の奥壁を構成し、冷気を吹き出す冷気吹き出し口を有するパネル部品と、
このパネル部品に設けられた電気部品のリード線を前記本体のリード線に接続するためのリード線結線部と、
前記パネル部品に一体に設けられ、一辺のみ前記パネル部品に連結し、該連結した一辺の近傍に設けられた繰り返し折り曲げ可能な薄肉ヒンジ部と、前記連結した一辺とは別の辺に設けられた係止部と、前記リード線結線部を収納するリード線結線部収納ボックスと、を有するリード線結線部収納部と、
前記食品等を貯蔵する室に設けられ、前記リード線結線部収納部の係止部と係合する係合部と、
前記パネル部品に連結した一辺とは別の辺に設けられた係止部を覆い、人の指が入らない大きさの隙間を有する遮蔽部材と、
を備えたことを特徴とする冷蔵庫。
【請求項７】
前記係止部の隙間にマイナスドライバー等の工具を入れることにより、前記リード線結線部収納部を外すことができることを特徴とする請求項６記載の冷蔵庫。
【請求項８】
食品等を貯蔵する室を冷蔵室とし、前記リード線結線部収納部は上辺が前記パネル部品に連結し、前記リード線結線部収納部の係止部と係合する係合部を前記冷蔵室床面に設けたことを特徴とする請求項６記載の冷蔵庫。
【請求項９】
食品等を貯蔵する室を冷蔵室とし、前記リード線結線部はランプ又は温度センサー等の電気部品のリード線と本体のリード線を連結する構成としたことを特徴とする請求項６記載の冷蔵庫。
【請求項１０】
食品等を貯蔵する室を冷凍室とし、前記リード線結線部収納部は下辺が前記パネル部品に連結し、前記リード線結線部収納部の係止部と係合する係合部を前記冷凍室上面に設けたことを特徴とする請求項６記載の冷蔵庫。
【請求項１１】
食品等を貯蔵する室を冷凍室とし、前記リード線結線部はファンモータ又は温度センサー等の電気部品のリード線と本体のリード線を連結する構成としたことを特徴とする請求項６記載の冷蔵庫。
【請求項１２】
前記パネル部品の係止部を爪で、遮蔽部材を爪カバーで構成したことを特徴とする請求項６記載の冷蔵庫。
【請求項１３】
前記食品等を貯蔵する室に設けられた係合部を、変位可能な室側爪と、固定された当接部とで構成したことを特徴とする請求項６記載の冷蔵庫。
【請求項１４】
前記室側爪の下には障害となる形状がなく、該室側爪は折り曲げ軸を中心に変位できる構成としたことを特徴とする請求項１３記載の冷蔵庫。
【請求項１５】
前記室側爪の周囲にコの字スリットを設けたことを特徴とする請求項１３記載の冷蔵庫。
【発明の詳細な説明】
【０００１】
【発明の属する技術分野】
この発明は、冷蔵庫に関するもので、詳しくは冷蔵庫の冷蔵室内のリード線結線部分を収納するコネクタ収納部ともいうリード線結線部収納部の組立て作業性を改善し、尚且つ、リード線結線部収納部取外し時にリード線結線部収納部が紛失されるといった不具合を解消できるようにしたものである。
【０００２】
【従来の技術】
図１５、１６は従来の冷蔵庫における冷蔵室内のリード線結線部の収納方法を示す図で、図１５はパネル部品とリード線結線部収納ボックスとを示す斜視図、図１６はリード線結線部をリード線結線部収納ボックスに収納した状態を示す図である。
図に示すように、冷蔵室内のリード線結線部５を収納するリード線結線部収納ボックス４は、冷蔵室内のパネル部品３とは独立した部品として構成され、独立したリード線結線部収納ボックス４の収納部４ａにリード線結線部５を収納し、インスレーション６にて収納部４ａに蓋をする。
【０００３】
その後、パネル部品３に設けられたリード線結線部収納ボックス収納区画３ａに固定用リベット７にて固定する。その結果リード線収納ボックス４の前面部４ｂでリード線結線部収納ボックス収納区画３ａを閉塞するように構成されている。
【０００４】
図１７、１８は他の従来の冷蔵庫における冷蔵室内のリード線結線部収納部の収納方法を示す図で、それぞれリード線結線部収納部付近の斜視図である。
図１７に示すものは、コネクタ収納部ともいうリード線結線部収納部２８がパネル部品２９と別体になっており、リード線結線部収納部２８の一辺に爪３０を設け、反対側の辺にリベット３１を打つことにより、リード線結線部収納部２８を固定している。
【０００５】
また、図１８に示すものは、リード線結線部収納部２８の一辺に薄肉ヒンジ部３２を設けた場合でも反対側の辺にリベット３１を打つ構成となっている。
【０００６】
【発明が解決しようとする課題】
従来の冷蔵庫は、リード線結線部収納ボックス４が冷蔵室内のパネル部品３とは別部品の為、リード線結線部収納ボックス４にリード線結線部５を収納し、パネル部品３に設けられたリード線結線部収納ボックス収納区画３ａに嵌め込むという一連の組立て作業に難点があった。
また、サービスマン等が作業中にリード線結線部収納ボックス４を取外した際、リード線結線部収納ボックスを紛失する恐れがあった。
【０００７】
他の従来の冷蔵庫のリード線結線部収納部では、電気用品取締法の関係上、リード線結線部収納部２８は工具を用いて外すようにする必要があるため、リベットやネジを必要とし、それらの部品コストや組立工数が必要になるという問題点があった。
【０００８】
この発明は、かかる問題点を解消するためになされたもので、コネクタ収納部ともいうリード線結線部の収納作業性を向上させ、サービスマン等が作業中にリード線結線部収納部を紛失する恐れが少なく、部品点数及び金型が少なく安価な冷蔵庫を提供することを目的とする。
【０００９】
【課題を解決するための手段】
この発明に係る冷蔵庫は、仕切板で区画された冷蔵室等を有する冷蔵庫本体と、冷蔵室内の奥壁を構成し、冷気を吹き出す冷気吹き出し口を有するパネル部品と、このパネル部品に設けられた電気部品のリード線を本体の電気回路に接続するためのリード線結線部と、パネル部品に一体に設けられ、上辺に薄肉ヒンジ部、左右辺に開放部分、下辺にパネル部品端部による開放部分を有する前面部と、この前面部の背面に設けられ、下方が開放された箱形状部とで構成され、リード線結線部を箱形状部に収納するリード線結線部収納部とを備え、薄肉ヒンジ部を介してリード線結線部収納部を回転させることにより、リード線結線部をリード線結線部収納部に収納する構成としたものである。
【００１０】
また、リード線結線部収納部の前面部の下辺に下辺フランジ部を設け、この下辺フランジ部にリード線結線部収納部を仕切板に固定する為の切り欠き部を設けたものである。
【００１１】
また、薄肉ヒンジ部の厚さを、０．５ｍｍ程度としたものである。
【００１２】
また、リード線結線部をリード線結線部収納部に収納した後に、箱形状部の開放された下面をインスレーションにて蓋をする構成としたものである。
【００１３】
この発明に係る冷蔵庫の製造方法は、請求項１記載の冷蔵庫の製造方法であって、パネル部品の一部にリード線結線部収納部を射出成形により一体成形し、パネル部品に電気部品と、冷蔵室内の断熱及び風路形成を目的とする発泡スチロールとをそれぞれ組み付けてパネル組立を構成し、パネル組立を前記冷蔵室に組み込み、パネル部品のリード線結線部収納部分を薄肉ヒンジ部を介して手前に回転させ、その状態で電気部品のリード線を結線し、リード線結線部をパネル部品のリード線結線部収納部に収納し、結線部への水滴の浸入を防ぐためのインスレーションにて蓋をし、リード線結線部収納部の前面部がパネル部品の前面部と同一面に成るように回転させて戻し、パネル部品のリード線結線部収納部の回転を抑制するために、パネル部品とパネル組立の下側に接する仕切板とを締結部材にて固定するものである。
【００１４】
この発明に係る冷蔵庫は、仕切板で区画された食品等を貯蔵する室を有する冷蔵庫本体と、食品等を貯蔵する室内の奥壁を構成し、冷気を吹き出す冷気吹き出し口を有するパネル部品と、このパネル部品に設けられた電気部品のリード線を本体のリード線に接続するためのリード線結線部と、パネル部品に一体に設けられ、一辺のみパネル部品に連結し、連結した一辺の近傍に設けられた繰り返し折り曲げ可能な薄肉ヒンジ部と、連結した一辺とは別の辺に設けられた係止部と、リード線結線部を収納するリード線結線部収納ボックスと、を有するリード線結線部収納部と、食品等を貯蔵する室に設けられ、リード線結線部収納部の係止部と係合する係合部と、パネル部品に連結した一辺とは別の辺に設けられた係止部を覆い、人の指が入らない大きさの隙間を有する遮蔽部材と、を備えたものである。
【００１５】
また、係止部の隙間にマイナスドライバー等の工具を入れることにより、リード線結線部収納部を外すことができるものである。
【００１６】
また、食品等を貯蔵する室を冷蔵室とし、リード線結線部収納部は上辺がパネル部品に連結し、リード線結線部収納部の係止部と係合する係合部を冷蔵室床面に設けたものである。
【００１７】
また、食品等を貯蔵する室を冷蔵室とし、リード線結線部はランプ又は温度センサー等の電気部品のリード線と本体のリード線を連結する構成としたものである。
【００１８】
また、食品等を貯蔵する室を冷凍室とし、リード線結線部収納部は下辺がパネル部品に連結し、リード線結線部収納部の係止部と係合する係合部を冷凍室上面に設けたものである。
【００１９】
また、食品等を貯蔵する室を冷凍室とし、リード線結線部はファンモータ又は温度センサー等の電気部品のリード線と本体のリード線を連結する構成としたものである。
【００２０】
また、パネル部品の係止部を爪で、遮蔽部材を爪カバーで構成したものである。
【００２１】
また、食品等を貯蔵する室に設けられた係合部を、変位可能な室側爪と、固定された当接部とで構成したものである。
【００２２】
また、室側爪の下には障害となる形状がなく、室側爪は折り曲げ軸を中心に変位できる構成としたものである。
【００２３】
また、室側爪の周囲にコの字スリットを設けたものである。
【００２４】
【発明の実施の形態】
実施の形態１．
以下、この発明の実施の形態１を図面を参照して説明する。
図１〜６はこの発明の実施の形態１を示す図で、図１は冷蔵庫の冷蔵室へのパネル部品の概略組み付け斜視図、図２はパネル部品の部分斜視図、図３は図２のＺ−Ｚ断面図、図４はリード線結線部収納部の前面部がパネル部品の前面部と同一面に成る様に回転させる直前の状態を示す図、図５は図３のＹ部拡大図、図６はパネル部品成形から冷蔵庫への組み付けまでのフローチャートである。
【００２５】
図において、２は冷蔵庫１の冷蔵室内の奥壁を構成する複数の冷気吹き出し口２ａを有するパネル部品で、図１に示すように下部左側にリード線結線部５の収納を目的とするリード線結線部収納部２ｂを有する。更に、パネル部品２には冷蔵室８内を照らす目的のランプ２ｃ、冷蔵室８内の温度検知を目的とする温度センサー２ｄ等の電気部品、冷蔵室８内の断熱及び風路形成を目的とする発泡スチロール２ｅが取り付けられている。
また、冷蔵庫１の冷蔵室８のリード線出口１ａからはウレタン断熱材の中を通ったリード線１ｂが出ている。
尚、冷蔵庫１は冷蔵室８の下に仕切板１０で区画された野菜室９を備えている。
【００２６】
図２、３により、パネル部品２を詳細に説明する。パネル部品２のリード線結線部収納部２ｂは、上辺に薄肉ヒンジ部２ｆ、左右辺に開放部分（金型による押切り部）２ｇ、下辺に部品端部による開放部分、及び下辺フランジ部２ｉにはリード線結線部収納部２ｂをリベット固定する為の切り欠き部２ｈを有する前面部と、リード線結線部５への水滴の浸入を防止する為、背面に設けられて下方が開放された箱形状部とで構成されている。
【００２７】
また、図５に示すように薄肉ヒンジ部２ｆの肉厚を０．５ｍｍとすることで、リード線結線部収納部２ｂは、薄肉ヒンジ部２ｆを介して図４に示すように回転可能になっている。
このような構成になっている為、薄肉ヒンジ部２ｆを介してリード線結線部収納部２ｂを回転することにより、回転軌跡が必然的に決まり、尚且つ、従来のように別部品を取り出すといった動作を省けることで、リード線結線部収納部２ｂの組立て作業性を向上させることができる。
また、サービスマン等が作業中にリード線結線部収納部２ｂを取外した際、リード線結線部収納部２ｂを紛失するといった不具合を解消することができる。
【００２８】
図６により、パネル部品成形から冷蔵庫への組み付けまでの工程を説明する。先ず、ステップＳ６０において、冷蔵庫１の冷蔵室８に組み付ける冷気吹き出し口２ａを有するパネル部品２の一部に、リード線結線部５の収納を目的とする一辺が薄肉ヒンジ部２ｆ、残り三辺が開放部分２ｇのリード線結線部収納部２ｂを射出成形により一体成形する。
【００２９】
次に、ステップＳ６１において、パネル部品２に冷蔵室８内の食品を照らす目的のランプ２ｃ及び、冷蔵室８内の温度感知を目的とする温度センサー２ｄ、冷蔵室８内の断熱及び風路形成を目的とする発泡スチロール２ｅを各々組み付けパネル組立１１を構成する。
【００３０】
次に、ステップＳ６２において、パネル組立１１を冷蔵庫１の冷蔵室８に組みつける。
【００３１】
次に、ステップＳ６３において、パネル部品２のリード線結線部収納部２ｂを薄肉ヒンジ部２ｆを介して手前に回転させ、その状態でランプ２ｃ、温度センサー２ｄ等のリード線を結線し、結線部等をパネル部品２のリード線結線部収納部２ｂに収納し、結線部への水適の浸入を防ぐ目的でインスレーション６にて蓋をする。
【００３２】
次に、ステップＳ６４において、リード線結線部収納部２ｂの前面部がパネル部品２の前面部と同一面に成るように回転させ、最後にリード線結線部収納部２ｂの回転を抑制する目的で、パネル部品２の下辺フランジ部２ｉとパネル組立１１の下側に接する冷蔵室８と野菜室９との仕切板１０とを固定用リベット７にて固定する。
【００３３】
上述の実施の形態によれば、冷蔵室８内に配置される冷気吹き出し口２ａを有するパネル部品２では、パネル部品２とリード線結線部収納部２ｂとを一体成形により形成し、尚且つ、リード線結線部収納部２ｂは一辺を薄肉ヒンジ部２ｆ、残り３辺を開放部分２ｇとすることで、薄肉ヒンジ部２ｆを介してリード線結線部収納部２ｂの回転が可能となり、リード線結線部５を収納することが出来る。
【００３４】
また、薄肉ヒンジ部２ｆを介してリード線結線部収納部２ｂを回転することにより、回転軌跡が必然的に決まり、その上、従来のように別部品を取り出すといった動作を省けることで、組立て作業性を改善することが出来る。
【００３５】
更に、別部品であったリード線結線部収納部２ｂをパネル部品２と一体にすることにより、サービスマン等が作業中にリード線結線部収納部２ｂを取外した際に紛失するのを予防することが出来ると共に、部品点数および金型を減らすことも出来、安価な冷蔵庫を提供できる。
【００３６】
実施の形態２．
以下、この発明の実施の形態２を図面を参照して説明する。
図７，８は実施の形態１を示す図で、図７はリード線結線部収納部を示す正面図、図８はリード線結線部収納部の断面図である。
図７において、冷蔵室８の背面にコントロールパネルであるパネル部品２があり、パネル部品２にはランプ２ｃやサーミスタを用いた温度センサー２ｄが取り付けられている。ランプ２ｃのランプリード線２ｊや温度センサー２ｄの温度センサーリード線２ｋはパネル部品２の左下のコネクタ収納部であるリード線結線部収納部２ｂにおいて、冷蔵室８の背面穴であるリード線出口１ａから出てくる本体のリード線１ｂと中継コネクタを用いたリード線結線部５でつなげられ、リード線結線部収納ボックス２ｐに収納されている。
【００３７】
図８に示すように、リード線結線部収納部２ｂはミラーヒンジ部ともいう薄肉ヒンジ部２ｆを中心に折り曲げ可能となっている。リード線結線部収納部２ｂ下辺には、係止部となる爪係止部２ｍと、遮蔽部材となる爪カバー２ｎが設けられている。パネル部品２が接する冷蔵室底面８ａには室側爪である爪８ｅがあり、その奥には底面リブ８ｂがあり、係合部を構成している。
【００３８】
以上のように構成することにより、パネル部品２を冷蔵室８に取り付けた後でも、リード線結線部収納部２ｂを薄肉ヒンジ部２ｆにより折り曲げて、リード線結線部５をリード線結線部収納ボックス２ｐに収め、リード線結線部収納部２ｂの下辺の爪係止部２ｍと爪８ｅが４ｍｍ程度掛かり固定することができる。
【００３９】
また、リード線結線部収納部２ｂを固定後は、爪８ｅはリード線結線部収納部２ｂの下辺の爪カバー２ｎで覆われるため、爪８ｅを押し下げてリード線結線部収納部２ｂを外すことができない。
これにより、ネジやリベットを使用せずリード線結線部収納部２ｂを固定することができる。
【００４０】
実施の形態３．
以下、この発明の実施の形態３を図面を参照して説明する。
図９〜１２は実施の形態３を示す図で、図９はリード線結線部収納部の正面図、図１０は図９のＸ−Ｘ断面を示し、爪部の詳細断面図、図１１は図９のＸ−Ｘ断面を示し、寸法Ａの隙間にマイナスドライバーを入れ爪を押し下げる状態を示す図、図１２は爪の平面図である。
図に示すように、リード線結線部収納部２ｂの下辺の爪カバー２ｎは、人間の指が入らない寸法Ａの隙間を設けているので、リード線結線部収納部２ｂを爪８ｅに固定した後でも、上記隙間からマイナスドライバー３９のような工具を入れた時のみ爪８ｅを下に押し下げ、リード線結線部収納部下辺の爪係止部２ｍの掛かりを外し、リード線結線部収納部２ｂを開放することができる。
【００４１】
爪８ｅの下には障害となる形状がなく、爪８ｅは図１１のように折り曲げ軸８ｃを中心に下にさげることができる。また、爪８ｅの周りは図１２に示すようにコの字スリット８ｄがあるため下にさげやすくなっている。
【００４２】
これにより、電気用品取締法  別表第八  １共通事項（２）構造のへに記載されている「充電部には容易に取り外すことができる（ドライバー、スパナー等の工具を用いない）部分を取り外した状態で試験指が触れないこと」という内容に当てはまる。
【００４３】
実施の形態４．
以下、この発明の実施の形態４を図面を参照して説明する。
図１３，１４は実施の形態４を示す図で、図１３はリード線結線部収納部を示す正面図、図１４はリード線結線部収納部の断面図である。
図１３において、冷凍室２０の背面にファングリル２１があり、ファングリル２１にはファンモータ２２やサーミスタを用いた温度センサー２３が取り付けられている。ファンモータ２２のファンモータリード線２２ａや温度センサー２３の温度センサーリード線２３ａはファングリル２１の左上のリード線結線部収納ボックス２７ａで、冷凍室２０の背面穴であるリード線出口２４から出てくるリード線２５と中継コネクタを用いたリード線結線部２６でつなげられ、リード線結線部収納フタ部２１ａによって覆われている。
【００４４】
図１４に示すように、リード線結線部収納フタ部２１ａは薄肉ヒンジ部２１ｂを中心に折り曲げ可能となっている。リード線結線部収納フタ部２１ａ上辺には爪係止部２１ｃと爪カバー２１ｄが設けられている。ファングリル２１が接する冷凍室上面２７には爪２７ｂがあり、その奥にはリード線結線部収納フタ部当て面２７ｃがあり、その下にはリード線結線部収納ボックス２７ａが設けられている。
【００４５】
以上のように構成することにより、ファングリル２１を冷凍室２０に取り付けた後も、リード線結線部収納フタ部２１ａを薄肉ヒンジ部２１ｂにより折り曲げて、リード線結線部２６をリード線結線部収納ボックス２７ａに収め、リード線結線部収納フタ部２１ａの上辺の爪係止部２１ｃと爪２７ｂが４ｍｍ程度の掛かりで固定することができる。
【００４６】
また、リード線結線部収納フタ部２１ａを固定後は、爪２７ｂはリード線結線部収納フタ部２１ａの上辺の爪カバー２１ｄに覆われているため、爪２７ｂを押し上げてリード線結線部収納フタ部２１ａを外すことができない。
これにより、ネジやリベットを使用せずリード線結線部収納部を固定することができる。
【００４７】
【発明の効果】
この発明に係る冷蔵庫及びその製造方法は、薄肉ヒンジ部を介してリード線結線部収納部を回転させることにより、リード線結線部をリード線結線部収納部の箱形状部に収納する構成としたので、回転軌跡が必然的に決まり、さらに、従来のように別部品を取り出すという動作を省けることで、組立て作業性を改善することが出来る。
更に、別部品であったリード線結線部収納部をパネル部品と一体にすることにより、サービスマン等が作業中にリード線結線部収納部を取外した際に紛失するのを予防することが出来ると共に、部品点数および金型を減らすことも出来、安価な冷蔵庫を提供できる。
【００４８】
この発明に係る冷蔵庫は、リード線結線部収納部にパネル部品に連結した一辺の近傍に繰り返し折り曲げ可能な薄肉ヒンジ部を設け、連結した一辺とは別の辺に設けられた係止部を、食品等を貯蔵する室に設けられた係合部と係合させ、人の指が入らない大きさの隙間を有する係止部を覆う遮蔽部材を備えたことにより、リベットやネジを使わずにリード線結線部収納部を容易に固定しつつ、工具なしでは外せないようにしてあるため、電気用品取締法を遵守することができる。また、リベットやネジを使わないことにより、リベットやネジの部品コストが不要であると共に、リベットやネジを固定する組立工数も不要となる。
【００４９】
また、食品等を貯蔵する室に設けられた係合部を構成する室側爪の周囲にコの字スリットを設けたことにより、下にさげやすくなっている。
【図面の簡単な説明】
【図１】  この発明の実施の形態１を示す図で、冷蔵庫の冷蔵室へのパネル部品の概略組み付け斜視図である。
【図２】  実施の形態１を示す図で、パネル部品の部分斜視図である。
【図３】  実施の形態１を示す図で、図３は図２のＺ−Ｚ断面図である。
【図４】  実施の形態１を示す図で、リード線結線部収納部の前面部がパネル部品の前面部と同一面に成る様に回転させる直前の状態を示す図である。
【図５】  実施の形態１を示す図で、図３のＹ部拡大図である。
【図６】  実施の形態１を示す図で、パネル部品成形から冷蔵庫への組み付けまでのフローチャート図である。
【図７】  実施の形態２を示す図で、リード線結線部収納部を示す正面図である。
【図８】  実施の形態２を示す図で、リード線結線部収納部の断面図である。
【図９】  実施の形態３を示す図で、リード線結線部収納部の正面図である。
【図１０】  実施の形態３を示す図で、図９のＸ−Ｘ断面を示し、爪部の詳細断面図である。
【図１１】  実施の形態３を示す図で、図９のＸ−Ｘ断面を示し、寸法Ａの隙間にマイナスドライバーを入れ爪を押し下げる状態を示す図である。
【図１２】  実施の形態３を示す図で、爪の平面図である。
【図１３】  実施の形態４を示す図で、リード線結線部収納部を示す正面図である。
【図１４】  実施の形態４を示す図で、リード線結線部収納部の断面図である。
【図１５】  従来の冷蔵庫における冷蔵室内のリード線結線部の収納方法を示す図で、パネル部品とリード線結線部収納ボックスとを示す斜視図である。
【図１６】  従来の冷蔵庫における冷蔵室内のリード線結線部の収納方法を示す図で、リード線結線部をにリード線結線部収納ボックスを収納した状態を示す図である。
【図１７】  他の従来の冷蔵庫における冷蔵室内の別体のリード線結線部収納部の収納方法を示す図で、リード線結線部収納部付近の斜視図である。
【図１８】  他の従来の冷蔵庫における冷蔵室内の薄肉ヒンジ部を有するリード線結線部収納部の収納方法を示す図で、リード線結線部収納部付近の斜視図である。
【符号の説明】
１  冷蔵庫、１ａ  リード線出口、１ｂ  リード線、２  パネル部品、２ａ  冷気吹き出し口、２ｂ  リード線結線部収納部、２ｃ  ランプ、２ｄ  温度センサー、２ｅ  発泡スチロール、２ｆ  薄肉ヒンジ部、２ｇ  開放部分、２ｈ  切り欠き部、２ｉ  下辺フランジ部、２ｊ  ランプリード線、２ｋ  温度センサーリード線、２ｐ  リード線結線部収納ボックス、２ｍ  爪係止部、２ｎ  爪カバー、５  リード線結線部、６  インスレーション、７  固定用リベット、８  冷蔵室、８ａ  冷蔵室底面、８ｂ  底面リブ、８ｃ  折り曲げ軸、８ｄ  コの字スリット、８ｅ  爪、９  野菜室、１０  仕切板、１１  パネル組立、２０  冷凍室、２１  ファングリル、２１ａ  リード線結線部収納フタ部、２１ｂ  薄肉ヒンジ部、２１ｃ  爪係止部、２１ｄ  爪カバー、２２  ファンモータ、２２ａ  ファンモータリード線、２３  温度センサー、２３ａ  温度センサーリード線、２４  リード線出口、２５  リード線、２６  リード線結線部、２７  冷凍室上面、２７ａ  リード線結線部収納ボックス、２７ｂ  爪、２７ｃ  リード線結線部収納フタ部当て面、３９  マイナスドライバー。
【図１】
0003741572.tif 000002
【図２】
0003741572.tif 000003
【図３】
0003741572.tif 000004
【図４】
0003741572.tif 000005
【図５】
0003741572.tif 000006
【図６】
0003741572.tif 000007
【図７】
0003741572.tif 000008
【図８】
0003741572.tif 000009
【図９】
0003741572.tif 000010
【図１０】
0003741572.tif 000011
【図１１】
0003741572.tif 000012
【図１２】
0003741572.tif 000013
【図１３】
0003741572.tif 000014
【図１４】
0003741572.tif 000015
【図１５】
0003741572.tif 000016
【図１６】
0003741572.tif 000017
【図１７】
0003741572.tif 000018
【図１８】
0003741572.tif 000019